【事件の表示】
　特願２０１２−２２１０７４「モジュール化の壁コンセント」拒絶査定不服審判事件〔平成２５年　５月２０日出願公開、特開２０１３−　９９２４３〕について、次のとおり審決する。
【結　論】
　本件審判の請求は、成り立たない。
【理　由】
第１　手続の経緯　
　本願は、平成２４年１０月３日（パリ条約の例による優先権主張、平成２３年１１月２日、台湾）の特許出願であって、平成２７年３月１１日付けで拒絶査定がされ、これに対し、平成２７年６月２９日に拒絶査定不服審判が請求され、同時に手続補正がされたものである。その後、当審により平成２８年４月１９日付けで拒絶理由が通知され、平成２８年７月１５日付けで手続補正がされた。
　
第２　本願発明
　本願の請求項１−１７に係る発明は、平成２８年７月１５日付けの手続補正で補正された特許請求の範囲の請求項１−１７に記載された事項により特定されるものであるところ、その請求項１に係る発明（以下、「本願発明」という。）は以下のとおりである。
　
「開口を有するコンセントプレートと、
　前記コンセントプレートの裏側に設置されており、収容空間を有するコンセント本体と、
　少なくとも一つの電気コネクタを有しており、前記コンセントプレートの前記開口から外部に露出するように前記コンセント本体の前記収容空間の内部に着脱可能に設置されるコンセントモジュールと、
　を含み、
　前記コンセントプレートにおける前記開口の相対する両側には第１の係合部が設けられ、
　前記コンセント本体の相対する両側には第２の係合部が設けられ、
　前記第１の係合部と前記第２の係合部とは互いに係合し、
　前記コンセントモジュールの側面と前記コンセント本体の前記収容空間側の側面とには対応する電気接点がそれぞれ設けられ、前記コンセントモジュールの前記電気接点と前記コンセント本体の前記電気接点とは電気的に接続されることを特徴とするモジュール化の壁コンセント。」　
第３　引用文献の記載事項
１．引用文献１
　当審の拒絶理由で引用された特開平５−２７６６２１号公報（以下、「引用文献１」という）には、図面とともに次の事項が記載されている（なお、下線は当審により付与した）。
　
「【発明の詳細な説明】
【０００１】
【産業上の利用分野】本発明は、電源使用のために住宅の室内の
壁面等に取り付けられるコンセントアセンブリに関する
　
「【０００８】
【課題を解決するための手段】上記目的を達成するべく、請求項１の発明は、ベースプレートと、該ベースプレートの後面側で配電用電線を接続でき、
該ベースプレートの前面側に所定間隔を置いて突出した複数組の係止突起対とを有し、該各係止突起対の夫々にコンセントブロックを挿脱自在とするように構成した
【０００９】また、請求項２の発明は、請求項１の発明において、
前記ベースプレートは、装着された各コンセントブロックの周囲を、少なくとも差込み口を除いて覆うように化粧プレートが着脱自在である
　
「【００１２】
【実施例】以下、本発明の好適な実施例について図面を参照しながら説明する。
【００１３】図１に示すように、本実施例に係るコンセントアセンブリ１は、耐火性材料から成るベースプレート２と、複数のコンセントブロック３Ａ〜３Ｃ（本実施例では二つのコンセントブロック３Ａ、３Ｂを使用する場合を想定した）とから大略構成されている。
【００１４】
前記ベースプレート２は全体として角形皿状に形成されており、該ベースプレート２の前面側には複数（本実施例では三つ）の凹陥部２Ｈａ〜２Ｈｃが縦並びに形成され、各凹陥部２Ｈａ〜２Ｈｃには夫々導電性材料から成る係止突起対４ａ〜４ｃが設けられている。
【００１５】前記ベースプレート２は部屋壁６の取付孔６ａに嵌合されるようになっており、前記係止突起対４ａ〜４ｃは、該ベースプレート２の後面側にて配電用電線５ａ〜５ｃが接続されるようになっている。
【００１６】
前記コンセントブロック３Ａ〜３Ｃは、夫々接続部３Ａａ〜３Ｃａとブロック本体部３Ａｂ〜３Ｃｂとから成っており、各接続部３Ａａ〜３Ｃａには夫々前記係止突起対４ａ〜４ｃが挿入される挿入穴３ｍａ〜３ｍｃが形成されている。なお、各ブロック本体部３Ａｂ〜３Ｃｂには、夫々各挿入穴３ｍａ〜３ｍｃと連通しかつ対応する係止突起対４ａ〜４ｃと電気的に接続される差込み口（図２の符号３ｓａ、３ｓｂ参照）が形成されている。
【００１７】各コンセントブロック３Ａ〜３Ｃの側部には、図２に示すように、夫々出没自在な係止爪３Ａｔ〜３Ｃｔが形成されて（図２においては一側方のみを図示）おり、該係止爪３Ａｔ〜３Ｂｔはベースプレート２の側面に形成された係止穴２ａ〜２ｃに夫々弾性的に係合するようになっている。
【００１８】図３は、ベースプレート２の前面側に設けられる化粧プレート９の構成を示すものである。
該化粧プレート９は全体として額縁状を呈しており、その周縁の適宜箇所には掛止爪９ａが形成され、該掛止爪９ａは前記ベースプレート２の内縁とコンセントブロック３Ａ〜３Ｃの外周縁との間に係止状態で挿入される。
【００１９】図４は、前記ブランクパネル６ｃの取付状態の詳細を示すものであり、化粧プレート９の後面側には三組の蟹爪状の案内鈎７ａ〜７ｃが縦並びに形成されている。そして、各案内鈎７ａ〜７ｃには夫々各コンセントブロックに対応したブランクパネルが挿脱自在に取り付けられるようになっている（後述するように、図４ではコンセントブロック３Ｃに対応したブランクパネル８ｃのみを図示している。）。
【００２０】本実施例は、上記のように構成されているので、まず、ベースプレート２については、各係止突起対４ａ〜４ｃの後端側に配電用電線５ａ〜５ｃを夫々接続した状態で、ベースプレート２を部屋壁６の取付孔６ａに嵌着させておく。
【００２１】次いで、電気器具の使用態様に応じて、所定数、例えば二つのコンセントブロック３Ａ、３Ｂを夫々対応する係止突起対４ａ、４ｂに係合させる。不要な係止突起対４ｃに対応する案内鈎７ｃにはブランクパネル８ｃを装着しておく。
【００２２】例えば外部からの強力な衝撃を受ける等により、いずれかのコンセントブロック（例えば３Ａ）が破損したときには、化粧プレート９を取り外し、当該コンセントブロック３Ａの係止爪３Ａｔを押し込んで該係止爪３Ａｔとこれに対応するベースプレート２の係止穴２ａとの係合を解除させ、当該コンセントブロック３Ａを離脱させた後、新規のコンセントブロック３Ａの挿入穴３ｍａに当該係止突起対４ａを挿入する。該コンセントブロック３Ａの装着後、取り外した前記化粧プレート９を掛止する。」
　
　以上の記載、特に、下線部を参照すると、次のことがいえる。
　
・引用文献１には、「壁面等に取り付けられるコンセントアセンブリ」の発明が記載されている（【０００１】）。
　
・引用文献１記載のコンセントアセンブリは、「化粧プレート９」、「ベースプレート２」、「コンセントブロック３Ａ」を含んでいる（【００１８】、【０００８】、【００１４】、【００１６】）。
　
・化粧プレートは、「全体として額縁状を呈する」（【００１８】）ものである。
　
・ベースプレート２は、化粧プレート９の後面側に設置されているといえ、「角形皿状に形成され、前面側に凹陥部２Ｈａ」を有する（【０００９】、【００１４】、【００１６】）ものである。
　
・コンセントブロック３Ａは、差込み口３ｓａを有しており（【００１６】）、前記化粧プレート９により差込み口が覆われないようになっている（【０００９】）。
　
・コンセントブロック３Ａは、前記ベースプレート２に形成された凹陥部２Ｈａに設けられた係止突起対４ａに挿脱自在とされるものである（【０００８】、【００１４】）。
　
・化粧プレート９は、「その周縁の適宜箇所には掛止爪９ａが形成され、該掛止爪９ａは前記ベースプレート２の内縁とコンセントブロック３Ａ〜３Ｃの外周縁との間に係止状態で挿入される」（【００１８】）ものである。
　
・差込み口３ｓａは、コンセントブロック３Ａに設けられた挿入穴３ｍａに連通しかつ対応する係止突起対４ａと電気的に接続されるものである（【００１６】）。
　
　したがって、引用文献１には、次の発明（以下、「引用発明」という）が記載されていると認められる。
　
［引用発明］
　全体として額縁状を呈する化粧プレート９と、 
　前記化粧プレート９の後面側に設置され、角形皿状に形成され、前面側に凹陥部２Ｈａを有するベースプレート２と、
　差込み口３ｓａを有しており、前記化粧プレート９により差込み口が覆われないように、前記ベースプレート２に形成された凹陥部２Ｈａに設けられた係止突起対４ａに挿脱自在とされるコンセントブロック３Ａと、
　を含み、
　前記化粧プレート９の周縁の適宜箇所には掛止爪９ａが形成され、該掛止爪９ａは前記ベースプレート２の内縁とコンセントブロック３Ａ〜３Ｃの外周縁との間に係止状態で挿入され、
　前記差込み口３ｓａは、前記コンセントブロック３Ａに設けられた挿入穴３ｍａに連通しかつ対応する前記係止突起対４ａと電気的に接続される、
　壁面に取り付けられるコンセントアセンブリ。
　
２．引用文献２
　当審の拒絶理由で引用された国際公開第２００６／０８２８８２号（以下、「引用文献２」という）には、次の事項が記載されている（なお、下線は当審により付与した）。
　
「[0020] 以後、本発明の構造、作用を詳細に説明する。
　
図2は一例として建物屋内の壁に取付けられた本発明に係るカバープレートを用いたコンセントを示す斜視図
カバープレート3は裏面から見た図で、コンセント本体2に対応する部分に開口部4を有すカバープレート3は係止爪9で取付け枠7に設けられた係止孔15に係止される。
　
第４　対比
　本願発明と引用発明とを対比すると次のことがいえる。
　
　引用発明の「全体として額縁状を呈する化粧プレート９」は、本願発明の「開口を有するコンセントプレート」に相当する。
　引用発明の「前記化粧プレート９の後面側に設置され、角形皿状に形成され、前面側に凹陥部２Ｈａを有するベースプレート２」は、本願発明の「前記コンセントプレートの裏側に設置されており、収容空間を有するコンセント本体」に相当する。
　引用発明の「差込み口３ｓａを有しており、前記化粧プレート９により差込み口が覆われないように、前記ベースプレート２に形成された凹陥部２Ｈａに設けられた係止突起対４ａに挿脱自在とされるコンセントブロック３Ａ」は、本願発明の「少なくとも一つの電気コネクタを有しており、前記コンセントプレートの前記開口から外部に露出するように前記コンセント本体の前記収容空間の内部に着脱可能に設置されるコンセントモジュール」に相当する。 
　引用発明の「前記化粧プレート９の周縁の適宜箇所には掛止爪９ａが形成され、該掛止爪９ａは前記ベースプレート２の内縁とコンセントブロック３Ａ〜３Ｃの外周縁との間に係止状態で挿入され」ることと、本願発明の「前記コンセントプレートにおける前記開口の相対する両側には第１の係合部が設けられ、前記コンセント本体の相対する両側には第２の係合部が設けられ、前記第１の係合部と前記第２の係合部とは互いに係合する」こととは、何れも、「前記コンセントプレートと前記コンセント本体とは互いに係合する」点では共通している。
　引用発明の「前記差込み口３ｓａは、前記コンセントブロック３Ａに設けられた挿入穴３ｍａに連通しかつ対応する前記係止突起対４ａと電気的に接続される」ことと、本願発明の「前記コンセントモジュールの側面と前記コンセント本体の前記収容空間側の側面とには対応する電気接点がそれぞれ設けられ、前記コンセントモジュールの前記電気接点と前記コンセント本体の前記電気接点とは電気的に接続される」こととは、「前記コンセントモジュールと前記コンセント本体の前記収容空間側とには対応する電気接点がそれぞれ設けられ、前記コンセントモジュールの前記電気接点と前記コンセント本体の前記電気接点とは電気的に接続されること」である点で共通する。
　引用発明の「壁面に取り付けられるコンセントアセンブリ」は、本願発明の「モジュール化の壁コンセント」に相当する。
　
　したがって、両者の一致点、相違点は次のとおりである。
　
［一致点］
　開口を有するコンセントプレートと、
　前記コンセントプレートの裏側に設置されており、収容空間を有するコンセント本体と、
　少なくとも一つの電気コネクタを有しており、前記コンセントプレートの前記開口から外部に露出するように前記コンセント本体の前記収容空間の内部に着脱可能に設置されるコンセントモジュールと、
　を含み、
　前記コンセントプレートと前記コンセント本体とは互いに係合し、
　前記コンセントモジュールと前記コンセント本体の前記収容空間側とには対応する電気接点がそれぞれ設けられ、前記コンセントモジュールの前記電気接点と前記コンセント本体の前記電気接点とは電気的に接続されることを特徴とするモジュール化の壁コンセント。
　
［相違点］
相違点１
　「前記コンセントプレートと前記コンセント本体とは互いに係合」するための構成が、本願発明は、「前記コンセントプレートにおける前記開口の相対する両側には第１の係合部が設けられ、前記コンセント本体の相対する両側には第２の係合部が設けられ、前記第１の係合部と前記第２の係合部とは互いに係合する」ものであるのに対し、引用発明はそのようなものではない点。 
　
相違点２
　本願発明は、「前記コンセントモジュールの側面と前記コンセント本体の前記収容空間側の側面とには対応する電気接点がそれぞれ設けられ、前記コンセントモジュールの前記電気接点と前記コンセント本体の前記電気接点とは電気的に接続される」ものであるのに対し、引用発明は、「前記コンセントモジュールと前記コンセント本体の前記収容空間側とには対応する電気接点がそれぞれ設けられ、前記コンセントモジュールの前記電気接点と前記コンセント本体の前記電気接点とは電気的に接続される」ものであるとはいえるものの、「前記コンセントモジュールの側面と前記コンセント本体の前記収容空間側の側面とには対応する電気接点がそれぞれ設けられ」るものではない点。
　
第５　当審の判断
１．相違点１について
　引用発明では、前記化粧プレート９の周縁の適宜箇所には掛止爪９ａが形成され、該掛止爪９ａは前記ベースプレート２の内縁とコンセントブロック３Ａ〜３Ｃの外周縁との間に係止状態で挿入されるが、化粧プレートとベースプレートとを接合するための構成としては、これに限らず他のものも用いることができるのは当業者に明らかである。
　一方、引用文献２（[0020]、図２を参照）には、コンセントのカバープレート３と取付枠７とを開口の両側に設けた係止爪９と係止孔１５とで係止する構成が記載されている。
　引用文献２に記載された係止する構成が引用発明においても有用であるのは明らかであり、また、それを用いることができない理由もないから、引用発明において、化粧プレートとベースプレートとを接合するための構成として、引用文献２に記載された開口の両側に設けた係止爪９と係止孔１５とで係止する構成を採用することは当業者が容易に想到し得ることである。
　このことは、引用発明において、「前記コンセントプレートにおける前記開口の相対する両側には第１の係合部が設けられ、前記コンセント本体の相対する両側には第２の係合部が設けられ、前記第１の係合部と前記第２の係合部とは互いに係合する」ものとすることが当業者に容易であることを意味する。
　
２．相違点２について
　相違点２は、換言すれば、コンセントモジュールとコンセント本体の収容空間とにそれぞれ設けられ、互いに電気的に接続される電気接点が、本願発明では、側面に設けられているのに対し、引用発明では、側面に設けられていない点である。
　電気接点とは、導体の接触、離脱により電流を断続させる部分であり、引用発明においては、コンセントブロック３Ａが有する差込み口３ｓａとベースプレート２に設けられた係止突起対４ａが、互いに接触、離脱することにより電流を断続させる機能を有するものであるが、該機能を有する限り、コンセントブロック３Ａとベースプレート２のどの部分にどのように構成の電気接点を設けるかは必要に応じて任意に決定し得るものであることは当業者には明らかである。
　また、コンセントを備えた交換モジュールの側面とその装着部の側面とに対応する電気接点を設けたものは、例えば、当審の拒絶理由で引用された特開２０１１−１３４７１６号（以下、「引用文献３」という）に記載されている（【００１８】、【図１】）ように知られたものである。
　したがって、引用発明において、コンセントブロック３Ａとベースプレート２の間で互いに接触、離脱することにより電流を断続させる機能を実現するための構成として、コンセントブロック３Ａの側面とベースプレート２の前面側の側面とに対応する電気接点をそれぞれ設けることは、当業者が容易に想到し得ることである。
　このことは、引用発明において、「前記コンセントモジュールの側面と前記コンセント本体の前記収容空間側の側面とには対応する電気接点がそれぞれ設けられ、前記コンセントモジュールの前記電気接点と前記コンセント本体の前記電気接点とは電気的に接続される」ものとすることが当業者に容易であることを意味する。
　
３．まとめ
　相違点１と相違点２とを併せて検討しても格別のものはなく、また、本願発明が奏する効果は、引用発明、引用文献２、３に記載の技術に基づいて当業者が容易に想到し得た構成から予測し得るものである。
　したがって、本願発明は、引用発明、引用文献２、３に記載の技術に基づいて当業者が容易に発明をすることができたものである。
　
第６　むすび
　以上のとおりであるから、本願の請求項１に係る発明は、特許法第２９条第２項の規定により特許を受けることができない。
　したがって、本願は、その余の請求項について論及するまでもなく、拒絶すべきものである。
　よって、結論のとおり審決する。